(57)【要約】  物品（２）は供給部署（２８）と次に包装部署とを通して供給されることにより物品を包装する方法及び機械であって、供給部署において、物品（２）には、物品（２）に接触しない自由端部を有するように物品（２）回りに少なくともＬ字形に折られる包装材料の各シート（１３）が供給され、包装部署において、包装材料のシート（１３）が、物品（２）上に第一自由端部を提供することによって筒状包装を形成するように物品（２）回りに折られ、供給部署（２８）と包装部署との間において、包装材料のＬ字形に折られたシート（１３）の自由端部は、物品（２）上の包装材料のシート（１３）を滑らかにするように、第一自由端部が吸引作用を受けることにより物品（２）の移動方向とは実質的に反対方向に引っ張り作用を受ける。
2005511438.tif 000002
【特許請求の範囲】
【請求項１】
供給部署（２８）と次に包装部署とを通る包装通路（Ｐ）に沿って物品（２）が供給されることにより物品を包装する方法であって、前記供給部署において、前記物品（２）には、前記物品（２）に接触しない第一自由端部を有するように前記物品（２）回りに少なくともＬ字形に折られる包装材料の各シート（１３）が供給され、前記包装部署において、包装材料の前記シート（１３）が、前記物品（２）上に前記第一自由端部を提供することによって筒状包装を形成するように前記物品（２）回りに折られる物品を包装する方法において、包装材料の前記Ｌ字形に折られたシート（１３）の前記第一自由端部は、前記物品（２）上の包装材料の前記シート（１３）を滑らかにするように、前記供給部署（２８）と前記包装部署との間において、前記第一自由端部が吸引作用を受けることにより前記物品（２）の移動方向とは実質的に反対方向に引っ張り作用を受けることを特徴とする物品を包装する方法。
【請求項２】
前記供給部署（２８）と前記包装部署との間において、前記第一自由端部とは実質的に反対の包装材料の前記シートの第二端部は、前記物品（２）に関して所定位置において把持されている請求項１に記載の方法。
【請求項３】
前記引っ張り作用は、前記第一自由端部が所定位置において吸引本体（３６）により吸引を受けることにより前記第一自由端部に提供される請求項１又は２に記載の方法。
【請求項４】
前記吸引本体（３６）は、各位置において前記物品（２）と実質的に接触するように、前記物品（２）の包装通路（Ｐ）に沿って位置する吸引表面（３９）を具備する請求項３に記載の方法。
【請求項５】
前記吸引本体（３６）は、前記供給部署から独立して分離され、こうして、前記吸引本体（３６）は、包装材料の前記シート（１３）が前記供給部署（２８）から連続的に離れる時に、包装材料の前記Ｌ字形に折られた前記シート（１３）の前記第一自由端部と連続的に係合する請求項３又は４に記載の方法。
【請求項６】
前記供給部署（２８）において、包装材料の前記シート（１３）は、前記物品（２）に接触しない第一自由端部を有するように前記物品（２）回りにＬ字形に折られ、次の包装部署において、包装材料の前記シート（１３）は、先ず、前記物品（２）へ前記第一自由端部の一部を提供することによって前記物品（２）回りにＵ字形に折られ、次に、筒状包装を完成するように折られ、包装材料の前記シート（１３）は、各包装座部へ前記物品（２）及び包装材料の前記シート（１３）を移送することにより前記物品（２）回りにＵ字形に折られる請求項１から５のいずれか一項に記載の方法。
【請求項７】
前記物品（２）は、製品タバコのための平行六面体形状の容器である請求項１から６のいずれか一項に記載の方法。
【請求項８】
前記物品（２）は、前記包装通路（Ｐ）に沿って連続的に供給される請求項１から７のいずれか一項に記載の方法。
【請求項９】
二つの対向する端面（４）により軸線方向に画定され、長手軸線と平行な二つの大側面（５）及び二つの小側面（６）によって横方向に画定される実質的に四角柱形状の物品を包装する方法であって、前記物品（２）は、所定の包装通路（Ｐ）に沿って所定の移動方向に供給される時に包装され、前記物品（２）のそれぞれのために、前記物品（２）へ包装材料の関連するシート（１３）を提供する段階と、包装材料の前記シート（１３）が前記端面（４）のそれぞれから突出する二つの突出側部を有するように、包装材料の前記シート（１３）を前記物品（２）の回りにＵ字形に折る第一折り段階と、前記二つの突出側部によって形成されて前記品物（２）の前記端面（４）のそれぞれから突出する二つの筒状付加部を具備する筒状包装を前記品物（２）回りに形成するように、前記品物（２）回りにさらに包装材料の前記シート（１３）を折る第二折り段階と、前記筒状包装を安定させる密閉段階と、閉じ包装を得るために前記品物（２）の各前記端面（４）上で前記筒状付加部のそれぞれを折る第三折り段階とを有する物品を包装する方法において、前記第一折り段階は、包装材料の前記シート（１３）がＬ字形に折られる第一下位段階と、包装材料の前記Ｌ字形に折られたシート（１３）がさらにＵ字形に折られる第二下位段階とを有し、前記第一下位段階は、前記品物（２）に関して包装材料の前記シート（１３）を把持することにより実施され、それにより、包装材料の前記シート（１３）の中間部は、各中間部が前記移動方向における前側を向いた第一の前記側面（５；６）に接触して位置し、包装材料の前記シート（１３）の第一の端部フラップが前記第一の側面（５；６）から突出し、包装材料の前記シート（１３）の残り部が前記第一の端部プラップに関しての反対側において前記第一の側面（５；６）から突出し、前記第一下位段階は、さらに、前記移動方向に関して後方へ直角に包装材料のシート（１３）の前記残り部を折ることによって実施され、直角に折られると、前記残り部は、前記物品（２）上に包装材料の前記シート（１３）を滑らかにするように空気吸引作用によって制動されることを特徴とする物品を包装する方法。
【請求項１０】
前記残り部は、前記包装通路（Ｐ）に沿って前記物品（２）を移動させ、前記残り部を後方に折るための折り縁（３８）を具備する所定の折り部材（３６）との干渉により直角に後方へ折られ、次の吸引表面（３９）は、前記包装通路（Ｐ）に沿って延在し、前記物品（２）上の包装材料の前記シート（１３）を滑らかにするように折られた前記残り部と協働する請求項９に記載の方法。
【請求項１１】
前記第二下位段階は、第一座部（２６）から第二座部へ前記物品（２）及び包装材料の前記Ｌ字形に折られたシート（１３）を移送させることにより実施され、前記第一座部及び前記第二座部は、前記包装通路（Ｐ）の各部に沿って可動であり、移送中に互いに対向して位置され、包装材料の前記Ｕ字形に折られたシート（１３）は、包装材料の前記シートの第一及び第二端部フラップが前記第二座部の入口から前記第一座部（２６）の方向へ突出するように前記第二座部内に位置され、包装材料の前記シート（１３）の前記突出側部のそれぞれは、前記第一及び第二端部フラップに関して横断方向に前記第二座部から突出する請求項９に記載の方法。
【請求項１２】
物品を包装する機械であって、前記機械（１）は、供給部署（２８）と次に包装部署とを通る包装通路（Ｐ）に沿って前記物品（２）を供給するための移送部（１１，１５）を具備し、前記供給部署において、前記物品（２）には、前記物品（２）に接触しない第一自由端部を有するように前記物品（２）回りに少なくともＬ字形に折られる包装材料の各シート（１３）が供給され、前記包装部署において、包装材料の前記シート（１３）が、前記物品（２）上に前記第一自由端部を提供することによって筒状包装を形成するように前記物品（２）回りに折られる物品を包装する機械において、前記機械（１）は、前記供給部署（２８）と前記包装部署との間に位置する制動装置（３６）を具備し、前記制動装置は、前記供給部署（２８）から独立して離されており、包装材料の前記Ｌ字形に折られたシート（１３）の前記第一自由端部が、前記物品（２）上の包装材料の前記シート（１３）を滑らかにするように、前記物品（２）の移動方向とは実質的に反対方向に引っ張り作用を受けることを可能とすることを特徴とする物品を包装する機械。
【請求項１３】
前記移送部（１１，１５）は、前記物品（２）を受け取るための少なくとも一つの第一周囲座部（２６）を有する第一包装ホイール（１１）を具備し、供給部署（２８）と次に前記物品（２）を受け取るための少なくとも一つの第二周囲座部を有する第二包装ホイール（１５）とを通して前記物品（２）を供給し、包装部署を通して前記物品（２）を供給する請求項１２に記載の機械。
【請求項１４】
前記第一周囲座部（２６）は、前記物品（２）に関しての所定位置において、前記第一自由端部と実質的に反対の包装材料の前記シート（１３）の第二端部を把持するための把持部材（３３）を具備する請求項１３に記載の機械。
【請求項１５】
前記制動装置（３６）は、前記第一包装ホイール（１１）に接触する所定位置に配置された吸引本体（３６）を具備し、前記吸引本体（３６）は、吸引手段によって前記第一自由端部へ制動作用を発生するために、前記物品（２）へ各位置において実質的に接触するように、前記物品（２）の包装通路（Ｐ）に沿って位置する吸引表面（３９）を具備する請求項１３又は１４に記載の機械。
【請求項１６】
前記制動装置（３６）は、前記物品（２）回りに少なくともＬ字形に包装材料の前記シート（１３）を折るための所定の折り縁（３８）を具備する請求項１５に記載の機械。
【発明の詳細な説明】
【技術分野】
【０００１】
本発明は、物品を包装する方法に関する。
本発明は、透明なプラスチック材料（一般的には、ポリプロピレン）の各シートで紙巻タバコのパックを包装するために、タバコ産業で有利に使用されて良く、以下の記述は単に例として参照される。
【背景技術】
【０００２】
紙巻タバコのパックは、供給部署を通り供給されることが知られており、この供給部署において、Ｕ又はＬ形状にパック回りに折られるポリプロピレンの包装材料の各シートが供給され、次に、包装材料の各シートと共にパックは、折り部署へ供給され、この折り部署において、包装材料のシートは、さらに、筒状包装を形成するようにパック回りに折られ、次に、包装材料のシートの重なり側部を加熱密閉することにより安定させられ、最終的に、筒状包装は、パック上で筒状包装の外側端部を折ることにより閉じられ、包装材料のシートの重なり端部を加熱密閉することにより安定させられる。
【０００３】
実施が容易であり、高い作動速度を可能とすることにより、紙巻タバコのパックを包装するための機械（セロファン包装機械として知られている）が広く使用されているが、この包装方法は、紙巻タバコのパック回りの包装材料のシートがしわを有することによって、時には、低品質の包装を結果としてもたらすことが見出され、しわは、包装自身の機能を損なうことはないが、消費者によって目障りと考えられる。
【０００４】
ＧＢ−４５３１６５は、物品及び包装材が供給部署から分配部署へ物品担持部によって移動させられる種類の包装機械を開示し、包装材は、供給部署と包装材が位置する担持部との間において、物品が担持部上において供給部署から分配部署へ移動する時の物品の動作中に物品回りで実質的に完全に引っ張られる。物品が担持部へ入る時に、包装材は物品と後方プランジャとの間に固定されてロールから繰り出され、これは、包装材上の適当な張力を維持することにより物品形状の不規則性に関係なく包装材を真直ぐに保つように機能する。しかしながら、包装においてしわの形成を避けるためにＧＢ−４５３１６５によって与えられた方法は、このような機械の高い作動速度のために、紙巻タバコのパックを包装するための現代のセロファン包装機械において、容易に及び安価に実施することができない。
【発明の開示】
【発明が解決しようとする課題】
【０００５】
本発明の目的は、前述の欠点を防止するように形成され、特に、実施するのに容易及び安価である物品の包装方法を提供することである。
【課題を解決するための手段】
【０００６】
本発明により、請求項１に示された物品の包装方法が提供される。
本発明により、請求項９に示された物品の包装方法が提供される。
【０００７】
本発明は、さらに、物品の包装機械に関する。
本発明により、請求項１２に示された物品の包装機械が提供される。
【発明を実施するための最良の形態】
【０００８】
本発明の限定されない実施形態が、添付図面を参照して例として説明される。
【０００９】
図１の参照番号１は、紙巻タバコのパック２のための連続セロファン包装機械の全体を示しており、パックのそれぞれは、平行な端壁４によって両端を境界とされた側面３を有する直方体形状である。より明確には、側面３は、二つの平行な対向する大側壁５と、大側壁５に垂直な二つの平行な対向する小側壁６とによって確定される。
【００１０】
機械１は、軸線方向８において、正規な連続の横に立てたパック２、すなわち、流入コンベア７に小側壁６が当接するようにパックを位置させて供給するための水平方向の流入コンベア７を具備している。機械１は、さらに、軸線方向８を横断して図１の平面と垂直な軸線１０回りに回転する移送ホイール９を具備し、移送ホイールは、流入コンベア７に接し、図示しない公知の方法により流入コンベア７から連続的にパック２を拾い上げ、パック２を９０°回転させ、軸線１０と平行な軸線１２回りに回転する包装ホイール１１へ横に立ててパック２を供給する。
【００１１】
包装ホイール１１は、移送ホイール９から連続的にパック２を受け取り、関連するパック２回りにＬ字形に包装材料のシート１３を折るように、供給器組立体１４から関連する包装材料のシート１３（一般的にはポリプロピレン）を受け取る。
【００１２】
機械１は、さらに、軸線１０と平行な軸線１６回りに回転するさらなる包装ホイール１５を具備し、各パック２回りの各筒状包装を形成するために、横に立てられたパック２及び対応するＬ字形に折られた包装材料のシート１３を受け取り、関連する包装材料のシート１３の二つの重なった側端部を加熱密閉することによって各筒状包装を安定させる。
【００１３】
機械１は、さらに、機械１の出口へ連続的にパック２を供給して関連する筒状包装の端部を閉じるための流出コンベア１７と、軸線１０と平行な軸線１９回りに回転して流出コンベア１７へ包装ホイール１５から連続的にパック２及び関連する筒状包装を供給する移送ホイール１８とを具備する。
【００１４】
流入コンベア７、移送ホイール９、包装ホイール１１、包装ホイール１５、移送ホイール１８、及び、流出コンベア１７は、機械１に沿って、パック２が連続的に移動する包装通路Ｐを確定する。
【００１５】
包装ホイール１１は、図１において軸線１２の反時計回りに連続的に回転するように、移送ホイール９に実質的に接する位置においてフレーム（図示せず）に取り付けられている。包装ホイール１１は、軸線１２回りに同軸で回転する駆動ディスク２０と、軸線１２と平行な各軸線２２回りに公知のカム装置（図示せず）の制御の基でディスク２０に関して揺動するようにディスク２０に取り付けられて、軸線１２回りに等間隔配置された複数の把持ヘッドとを具備している。各把持ヘッド２１は、関連する軸線２２に関して放射状に軸線２４に沿って延在するそれぞれの把持部２３を具備し、各把持部は、ディスク２０の外側へ突出し、図示されていない公知のカム作動装置の制御の基で関連する軸線２２と平行な方向に互いに関して閉位置へ及び閉位置から可動な二つの顎部２５を具備し、閉位置において、二つの顎部２５は、小側壁６が軸線１２に対向し、反対の前側の小側壁が移送ホイール９の軸線１０に対向し、端壁４が顎部２５に接触するように対応するパック２を位置させるための関連する座部２６を形成する。
【００１６】
各把持ヘッド２１の包装ホイール１１の回転方向に関しての前側側面から、関連する軸線２２と平行で関連する座部２６と関連する軸線２２との間に位置する横断板２７は、前方向に突出し、供給部署２８を通る把持ヘッド２１の通過と実質的に同時に供給器組立体１４によって供給部署２８へ供給される包装材料の各シート１３の前側縁のための止め部として機能する。
【００１７】
図２に示すように、公知の種類の供給器組立体１４は、把持部２３及び関連するパック２のための通路３０を区画形成するように、包装ホイール１１の周囲に対向する凹部を有して、軸線１２に関して平行で半径方向に位置する実質的にＣ形状の板２９と、空気を通す二つのベルト３１とを具備し、これらのベルトは、板２９の表面３２に沿って包装材料のシート１３を供給し、把持ヘッド２１の移動方向の前側に位置し、通路３０の閉鎖位置においてベルト３１上に包装材料のシート１３を保持するための吸入孔を有する。
【００１８】
図１に示すように、各把持ヘッド２１は、さらに、所定の顎部によって形成され、次に、把持ヘッド２１の本体と、関連するヘッド２１の本体に関して開位置と閉位置との間を揺動するように関連する軸線２２へ枢着された可動の顎部２３とによって形成されるさらなる把持部３３を具備し、閉位置において、顎部３４の端部パッド３５は、関連する座部２６の関連する板２７の半径方向外側に位置し、包装ホイール１１の回転方向の前側に位置する関連するパック２の大側壁５に接触する。
【００１９】
包装ホイール１１には、供給部署２８と移送部署３７との間において軸線１２と同軸に延在する所定の保持ガイド板３６が設けられ、移送部署において、パック２及び関連する包装材料のシート１３が包装ホイール１５へ移送され、ガイド板は、供給部署２８に対向する端部において、軸線１２に対向する側壁とは反対の関連するパック２の小側壁６の外側で各包装材料のシート１３を折るための丸い折り縁３８を具備している。包装ホイール１１の周囲に対向する側において、ガイド板３６は、小側壁６の前述した外側で包装材料のシート１３を制動させて滑らかにするための吸引表面３９を具備する。
【００２０】
実際の使用において、各把持ヘッド２１は移送部署４０へ接近し（移送ホイール９と包装ホイール１１との間の接点に確定される）、把持部２３及び３３は、顎部２５が移送ホイール９上の対応する公知の把持部（図示せず）によって移送部署４０へ供給される関連するパック２を受け入れることを可能とするように開き、移送部署４０において、顎部２５は、パック２の小側壁６の一方が軸線１２に対向する軸線方向位置においてパック２を把持するように、関連するパック２の各端壁４上で閉じ、パック２の二つの大側壁５はディスク２０に関して実質的に半径方向に位置する。
【００２１】
関連するパック２を受け取ると、各把持ヘッド２１はシート１３を供給する供給部署２８上に移動し、各把持部２３は板２９の通路３０に係合する。同時に、各包装材料のシート１３は供給器組立体１４によって供給され、それにより、関連する把持部２３が通路３０に係合する時に、包装材料のシート１３の前側縁は、板２７上に押えられ、この位置において、関連するパック２の前側の大側壁５に接触し、関連する把持部３３が同時に閉じると、関連するパック２の前側の大側壁５上にシートを把持し、関連する把持ヘッド２１が板２９の前側の吸引表面３２からシート１３を引っ張り、板３６の下側へ関連するパック２と共にシートを挿入することを可能とする。
【００２２】
関連するパック２の外側に突出するシート１３の一部が板３６の折り縁３８に接触する時に、シート１３は、関連するパック２の前側の大側壁５に関して内側に突出する第一部分を有して位置するように関連するパック２回りにＬ字形に折られ、関連するパック２の前側の大側壁５の中央に接触する第二部分と、関連するパック２の外側の小側壁６の中央に接触する第三部分と、前述の外側の小側壁６に関して後方に突出する最後部分とを有して、関連する端部フラップを形成し、最後部分は、板３６の吸引表面３９に吸引によって保持され、板３６によって制動され、関連するパック２の前側の大側壁５及び外側の小側壁６上においてシート１３を完全に滑らかにする。
【００２３】
各シート１３は、関連する把持ヘッド２１が移送部署３７に達するまで、この位置に保持され、この位置において、関連するパック２回りにＬ字形に折られたシート１３は、包装ホイール１５上の対応する公知の座部（図示せず）へ移送され、この座部において、シートは関連するパック２回りにＵ字形に折られる。
【００２４】
ガイド板３６が供給部署２８から独立して分離していることは重要であり、言い換えれば、ガイド板３６の吸引表面３９は、シート１３が連続的に供給部署２８を離れる時に、各シート１３の自由な後方突出部に連続的に係合する。
【００２５】
試験は、関連するパック２と共にシート１３が包装ホイール１５上の公知の各座部（図示せず）によって係合されるまで、吸引板３６が各シート１３を滑らかにして任意のしわ又はひだを防止可能としたことを示し、シート１３は板３６の滑らかにする作用を安定にするようにパック２に関して把持される。それにより、吸引板３６は、包装材料の各シート１３の目障りなしわ又はひだの無い高い品質の各パックの包装を得ることを安価に及び容易に提供する。
【００２６】
物品を包装する前述の方法は、紙巻タバコのパックのためのポリプロピレン包装に明らかに限定されず、柔軟なシート、すなわち、硬くない包装材料を折ることによって品物回りの筒状包装を形成する任意の種類の包装材料に適用されて良い。
【図面の簡単な説明】
【００２７】
【図１】本発明による紙巻タバコのパックのためのセロファン包装機械における好適な実施形態の明確化のために部品が除去された概略側面図である。
【図２】図１の拡大詳細側面図である。
【図１】
2005511438.tif 000003
【図２】
2005511438.tif 000004
【手続補正書】
【提出日】平成15年12月1日(2003.12.1)
【手続補正１】
【補正対象書類名】特許請求の範囲
【補正対象項目名】全文
【補正方法】変更
【補正の内容】
【特許請求の範囲】
【請求項１】
供給部署（２８）と次に包装部署とを通る包装通路（Ｐ）に沿って物品（２）が供給されることにより物品を包装する方法であって、前記供給部署において、前記物品（２）には、前記物品（２）に接触しない第一自由端部を有するように前記物品（２）回りに少なくともＬ字形に折られる包装材料の各シート（１３）が供給され、前記包装部署において、包装材料の前記シート（１３）が、前記物品（２）上に前記第一自由端部を提供することによって筒状包装を形成するように前記物品（２）回りに折られ、包装材料の前記Ｌ字形に折られたシート（１３）の前記第一自由端部は、前記物品（２）上の包装材料の前記シート（１３）を滑らかにするように、前記供給部署（２８）と前記包装部署との間において、前記第一自由端部が吸引作用を受けることにより前記物品（２）の移動方向とは実質的に反対方向に引っ張り作用を受ける物品を包装する方法において、前記引っ張り作用は、所定位置において吸引本体（３６）によって前記第一自由端部が吸引力を受けることにより前記第一自由端部へ提供され、前記吸引本体（３６）は、各位置において前記物品（２）と実質的に接触するように前記物品（２）の前記包装通路（Ｐ）に沿って配置された吸引表面（３９）を具備することを特徴とする物品を包装する方法。
【請求項２】
前記供給部署（２８）と前記包装部署との間において、前記第一自由端部とは実質的に反対の包装材料の前記シートの第二端部は、前記物品（２）に関して所定位置において把持されている請求項１に記載の方法。
【請求項３】
前記吸引本体（３６）は、前記供給部署から独立して分離され、こうして、前記吸引本体（３６）は、包装材料の前記シート（１３）が前記供給部署（２８）から連続的に離れる時に、包装材料の前記Ｌ字形に折られた前記シート（１３）の前記第一自由端部と連続的に係合する請求項１又は２に記載の方法。
【請求項４】
前記供給部署（２８）において、包装材料の前記シート（１３）は、前記物品（２）に接触しない第一自由端部を有するように前記物品（２）回りにＬ字形に折られ、次の包装部署において、包装材料の前記シート（１３）は、先ず、前記物品（２）へ前記第一自由端部の一部を提供することによって前記物品（２）回りにＵ字形に折られ、次に、筒状包装を完成するように折られ、包装材料の前記シート（１３）は、各包装座部へ前記物品（２）及び包装材料の前記シート（１３）を移送することにより前記物品（２）回りにＵ字形に折られる請求項１から３のいずれか一項に記載の方法。
【請求項５】
前記物品（２）は、製品タバコのための平行六面体形状の容器である請求項１から４のいずれか一項に記載の方法。
【請求項６】
前記物品（２）は、前記包装通路（Ｐ）に沿って連続的に供給される請求項１から５のいずれか一項に記載の方法。
【請求項７】
二つの対向する端面（４）により軸線方向に画定され、長手軸線と平行な二つの大側面（５）及び二つの小側面（６）によって横方向に画定される実質的に四角柱形状の物品を包装する方法であって、前記物品（２）は、所定の包装通路（Ｐ）に沿って所定の移動方向に供給される時に包装され、前記物品（２）のそれぞれのために、前記物品（２）へ包装材料の関連するシート（１３）を提供する段階と、包装材料の前記シート（１３）が前記端面（４）のそれぞれから突出する二つの突出側部を有するように、包装材料の前記シート（１３）を前記物品（２）の回りにＵ字形に折る第一折り段階と、前記二つの突出側部によって形成されて前記品物（２）の前記端面（４）のそれぞれから突出する二つの筒状付加部を具備する筒状包装を前記品物（２）回りに形成するように、前記品物（２）回りにさらに包装材料の前記シート（１３）を折る第二折り段階と、前記筒状包装を安定させる密閉段階と、閉じ包装を得るために前記品物（２）の各前記端面（４）上で前記筒状付加部のそれぞれを折る第三折り段階とを有する物品を包装する方法において、前記第一折り段階は、包装材料の前記シート（１３）がＬ字形に折られる第一下位段階と、包装材料の前記Ｌ字形に折られたシート（１３）がさらにＵ字形に折られる第二下位段階とを有し、前記第一下位段階は、前記品物（２）に関して包装材料の前記シート（１３）を把持することにより実施され、それにより、包装材料の前記シート（１３）の中間部は、各中間部が前記移動方向における前側を向いた第一の前記側面（５；６）に接触して位置し、包装材料の前記シート（１３）の第一の端部フラップが前記第一の側面（５；６）から突出し、包装材料の前記シート（１３）の残り部が前記第一の端部プラップに関しての反対側において前記第一の側面（５；６）から突出し、前記第一下位段階は、さらに、前記移動方向に関して後方へ直角に包装材料のシート（１３）の前記残り部を折ることによって実施され、直角に折られると、前記残り部は、前記物品（２）上に包装材料の前記シート（１３）を滑らかにするように空気吸引によって制動されることを特徴とする物品を包装する方法。
【請求項８】
前記残り部は、前記包装通路（Ｐ）に沿って前記物品（２）を移動させ、前記残り部を後方に折るための折り縁（３８）を具備する所定の折り部材（３６）との干渉により直角に後方へ折られ、次の吸引表面（３９）は、前記包装通路（Ｐ）に沿って延在し、前記物品（２）上の包装材料の前記シート（１３）を滑らかにするように折られた前記残り部と協働する請求項７に記載の方法。
【請求項９】
前記第二下位段階は、第一座部（２６）から第二座部へ前記物品（２）及び包装材料の前記Ｌ字形に折られたシート（１３）を移送させることにより実施され、前記第一座部及び前記第二座部は、前記包装通路（Ｐ）の各部に沿って可動であり、移送中に互いに対向して位置され、包装材料の前記Ｕ字形に折られたシート（１３）は、包装材料の前記シートの第一及び第二端部フラップが前記第二座部の入口から前記第一座部（２６）の方向へ突出するように前記第二座部内に位置され、包装材料の前記シート（１３）の前記突出側部のそれぞれは、前記第一及び第二端部フラップに関して横断方向に前記第二座部から突出する請求項７又は８に記載の方法。
【請求項１０】
物品を包装する機械であって、前記機械（１）は、供給部署（２８）と次に包装部署とを通る包装通路（Ｐ）に沿って前記物品（２）を供給するための移送部（１１，１５）を具備し、前記供給部署において、前記物品（２）には、前記物品（２）に接触しない第一自由端部を有するように前記物品（２）回りに少なくともＬ字形に折られる包装材料の各シート（１３）が供給され、前記包装部署において、包装材料の前記シート（１３）が、前記物品（２）上に前記第一自由端部を提供することによって筒状包装を形成するように前記物品（２）回りに折られる物品を包装する機械であって、前記機械（１）は、さらに、前記供給部署（２８）と前記包装部署との間に位置する制動装置（３６）を具備し、前記制動装置は、前記供給部署（２８）から独立して離されており、包装材料の前記Ｌ字形に折られたシート（１３）の前記第一自由端部が、前記物品（２）上の包装材料の前記シート（１３）を滑らかにするように、前記物品（２）の移動方向とは実質的に反対方向に引っ張り作用を受けることを可能とする物品を包装する機械において、前記制動装置（３６）は、前記第一包装ホイール（１１）に接触する所定位置に配置された吸引本体（３６）を具備し、前記吸引本体（３６）は、吸引手段によって前記第一自由端部へ制動作用を発生するために、前記物品（２）へ各位置において実質的に接触するように、前記物品（２）の包装通路（Ｐ）に沿って位置する吸引表面（３９）を具備することを特徴とする物品を包装する機械。
【請求項１１】
前記移送部（１１，１５）は、前記物品（２）を受け取るための少なくとも一つの第一周囲座部（２６）を有する第一包装ホイール（１１）を具備し、供給部署（２８）と次に前記物品（２）を受け取るための少なくとも一つの第二周囲座部を有する第二包装ホイール（１５）とを通して前記物品（２）を供給し、包装部署を通して前記物品（２）を供給する請求項１０に記載の機械。
【請求項１２】
前記第一周囲座部（２６）は、前記物品（２）に関しての所定位置において、前記第一自由端部と実質的に反対の包装材料の前記シート（１３）の第二端部を把持するための把持部材（３３）を具備する請求項１１に記載の機械。
【請求項１３】
前記制動装置（３６）は、前記物品（２）回りに少なくともＬ字形に包装材料の前記シート（１３）を折るための所定の折り縁（３８）を具備する請求項１０、１１、又は１２に記載の機械。
【手続補正２】
【補正対象書類名】明細書
【補正対象項目名】０００４
【補正方法】変更
【補正の内容】
【０００４】
ＧＢ−４５３１６５−Ａ１は、物品及び包装材が供給部署から分配部署へ物品担持部によって移動させられる種類の包装機械を開示し、包装材は、供給部署と包装材が位置する担持部との間において、物品が担持部上において供給部署から分配部署へ移動する時の物品の動作中に物品回りで実質的に完全に引っ張られる。物品が担持部へ入る時に、包装材は物品と後方プランジャとの間に固定されてロールから繰り出され、これは、包装材上の適当な張力を維持することにより物品形状の不規則性に関係なく包装材を真直ぐに保つように機能する。しかしながら、包装においてしわの形成を避けるためにＧＢ−４５３１６５−Ａ１によって与えられた方法は、このような機械の高い作動速度のために、紙巻タバコのパックを包装するための現代のセロファン包装機械において、容易に及び安価に実施することができない。
ＵＳ−５３０５５８０−Ａ１は、平行六面体等のための筒状包装をもたらす方法を開示している。物品及び包装材料の各部は、第一及び第二移送部に連続的に供給され、共通通路に沿って連続的に供給され、共通通路に沿って、包装材料の各部は、各物品を支持する一対の支持部によって第一移送部上に移送され、第一移送部と共に支持されて移動し、一対の支持部のそれぞれは、各物品回りに包装材料の各部を包装するために回転させられて各筒状包装を形成し、筒状包装の対向部は、重ねられ、一対の支持部に属する溶接装置によって共に溶接される。
【手続補正３】
【補正対象書類名】明細書
【補正対象項目名】０００６
【補正方法】変更
【補正の内容】
【０００６】
本発明により、請求項１に示された物品の包装方法が提供される。
本発明により、請求項７に示された物品の包装方法が提供される。
【手続補正４】
【補正対象書類名】明細書
【補正対象項目名】０００７
【補正方法】変更
【補正の内容】
【０００７】
本発明は、さらに、物品の包装機械に関する。
本発明により、請求項１０に示された物品の包装機械が提供される。


【手続補正書】
【提出日】平成16年6月21日(2004.6.21)
【手続補正１】
【補正対象書類名】特許請求の範囲
【補正対象項目名】請求項７
【補正方法】変更
【補正の内容】
【請求項７】
二つの対向する端面（４）により軸線方向に画定され、長手軸線と平行な二つの大側面（５）及び二つの小側面（６）によって横方向に画定される実質的に四角柱形状の物品を包装し、前記物品（２）は、所定の包装通路（Ｐ）に沿って所定の移動方向に供給される時に包装される物品を包装する方法であって、前記物品（２）へ包装材料の関連するシート（１３）を提供する段階と、包装材料の前記シート（１３）が前記端面（４）のそれぞれから突出する二つの突出側部を有するように、包装材料の前記シート（１３）を前記物品（２）の回りにＵ字形に折る第一折り段階と、前記二つの突出側部によって形成されて前記品物（２）の前記端面（４）のそれぞれから突出する二つの筒状付加部を具備する筒状包装を前記品物（２）回りに形成するように、前記品物（２）回りにさらに包装材料の前記シート（１３）を折る第二折り段階と、前記筒状包装を安定させる密閉段階と、閉じ包装を得るために前記品物（２）の各前記端面（４）上で前記筒状付加部のそれぞれを折る第三折り段階とを有し、前記第一折り段階は、包装材料の前記シート（１３）がＬ字形に折られる第一下位段階と、包装材料の前記Ｌ字形に折られたシート（１３）がさらにＵ字形に折られる第二下位段階とを有し、前記第一下位段階は、前記品物（２）に関して包装材料の前記シート（１３）を把持することにより実施され、それにより、包装材料の前記シート（１３）の中間部は、各中間部が前記移動方向における前側を向いた第一の前記側面（５；６）に接触して位置し、包装材料の前記シート（１３）の第一の端部フラップが前記第一の側面（５；６）から突出し、包装材料の前記シート（１３）の残り部が前記第一の端部プラップに関しての反対側において前記第一の側面（５；６）から突出して位置され、前記第一下位段階は、さらに、前記移動方向に関して後方へ直角に包装材料のシート（１３）の前記残り部を折ることによって実施され、直角に折られると、前記残り部は、前記物品（２）上に包装材料の前記シート（１３）を滑らかにするように空気吸引によって制動される物品を包装する方法において、所定位置で前記残り部が吸引本体（３６）により吸引作用を受けることによって引っ張り作用が前記残り部に提供され、前記吸引本体（３６）は、各位置において前記物品（２）に接触するように前記物品（２）の前記包装通路（Ｐ）に沿って位置する吸引表面（３９）を具備することを特徴とする物品を包装する方法。
【国際調査報告】
2005511438.tif 000005
2005511438.tif 000006